(57)【要約】【課題】平版印刷機に装着されるアルミニウム板を最適な再使用回数で繰り返して使用することで、再使用されないことによる資源の無駄を省き、二酸化炭素の排出量を削減することができるアルミニウム板管理システムを提供する。【解決手段】アルミニウム板管理システム１０は、アルミニウム板の再使用可能回数とアルミニウム板の再使用済回数とを比較し、再使用済回数が再使用可能回数未満の場合にそのアルミニウム板の次回の再使用を可とし、再使用済回数が再使用可能回数に達している場合にそのアルミニウム板の次回の再使用を不可とする。【選択図】図１
2010188622.tif 000002
【特許請求の範囲】
【請求項１】
平版印刷機に着脱可能に装着される各種複数のアルミニウム板を管理するアルミニウム板管理システムにおいて、
前記アルミニウム板管理システムが、それらアルミニウム板に個別に設定された識別情報を読み取る識別情報読み取り手段と、それらアルミニウム板の各識別情報とそれら識別情報に対応する各アルミニウム板のあらかじめ設定された再使用可能回数とを含む固有データを格納するデータ格納手段と、前記アルミニウム板を前記平版印刷機に装着して印刷を行った度毎に、前記アルミニウム板から読み取った識別情報に基づいてその識別情報のアルミニウム板の再使用済回数に１回を加算し、加算した再使用済回数を記憶する再使用済回数更新手段と、読み取った識別情報のアルミニウム板の再使用可能回数と前記再使用済回数更新手段によって記憶した再使用済回数とを比較する回数比較手段と、前記再使用済回数が前記再使用可能回数未満の場合にそのアルミニウム板の次回の再使用を可とし、前記再使用済回数が前記再使用可能回数に達している場合にそのアルミニウム板の次回の再使用を不可とする再使用可否判断手段とを有することを特徴とするアルミニウム板管理システム。
【請求項２】
前記アルミニウム板管理システムが、前記固有データおよび前記再使用済回数と前記再使用可否判断手段によって判断した再使用可否データとを出力するデータ出力手段を有する請求項１記載のアルミニウム板管理システム。
【請求項３】
前記アルミニウム板管理システムが、読み取った識別情報のアルミニウム板の再使用済回数が１回以上であるかを判断する回数判断手段を含み、そのアルミニウム板の再使用済回数が０回である場合、前記回数比較手段を実行することなくそのアルミニウム板の次回の再使用を可とし、そのアルミニウム板の再使用済回数が１回以上である場合、前記回数比較手段を実行する請求項１または請求項２に記載のアルミニウム板管理システム。
【請求項４】
前記アルミニウム板管理システムが、各アルミニウム板に設定された再使用可能回数を変更する回数変更手段を有する請求項１ないし請求項３いずれかに記載のアルミニウム板管理システム。
【請求項５】
前記識別情報が、そのアルミニウム板を特定するアルミニウム板識別子とそのアルミニウム板の板サイズとのうちの少なくともアルミニウム板識別子である請求項１ないし請求項４いずれかに記載のアルミニウム板管理システム。
【請求項６】
前記固有データには、前記アルミニウム板識別子に対応するそれらアルミニウム板のそれを１回再使用することから削減される二酸化炭素削減量が含まれ、前記アルミニウム板管理システムが、前記アルミニウム板を前記平版印刷機に装着して印刷を行った度毎に、前記アルミニウム板から読み取ったアルミニウム板識別子に基づいてその識別子のアルミニウム板の二酸化炭素削減量を積算し、積算したアルミニウム板の削減量を記憶する第１削減量更新手段を有し、前記データ出力手段が、前記アルミニウム板を１回再使用することから削減される二酸化炭素削減量と前記第１削減量更新手段によって記憶したそれらアルミニウム板の積算した二酸化炭素削減量とを出力する請求項５記載のアルミニウム板管理システム。
【請求項７】
前記識別情報には、前記アルミニウム板を装着する平版印刷機の機器名と、その印刷機を特定する機器識別子とが含まれ、前記アルミニウム板管理システムが、前記機器識別子に基づいてその識別子の平版印刷機の二酸化炭素削減量を積算し、積算した各印刷機の削減量を記憶する第２削減量更新手段を有し、前記データ出力手段が、前記第２削減量更新手段によって記憶したそれら印刷機の積算した二酸化炭素削減量を出力する請求項６記載のアルミニウム板管理システム。
【請求項８】
前記識別情報には、前記アルミニウム板を使用するユーザ名と、そのユーザを特定するユーザ識別子とが含まれ、前記アルミニウム板管理システムが、前記ユーザ識別子に基づいてその識別子のユーザの二酸化炭素削減量を積算し、積算した各ユーザの削減量を記憶する第３削減量更新手段を有し、前記データ出力手段が、前記第３削減量更新手段によって記憶したそれらユーザの積算した二酸化炭素削減量を出力する請求項６記載のアルミニウム板管理システム。
【請求項９】
前記アルミニウム板の一面には、前記識別情報のうちの少なくとも前記アルミニウム板識別子を表すバーコードが表示され、前記アルミニウム板管理システムでは、前記識別情報読み取り手段において前記バーコードがバーコードリーダーによって読み込まれる請求項５ないし請求項８いずれかに記載のアルミニウム板管理システム。
【請求項１０】
平版印刷機に着脱可能に装着される各種複数のアルミニウム板を管理するアルミニウム板管理方法において、
前記アルミニウム板管理方法が、それらアルミニウム板に個別に設定された識別情報を読み取る識別情報読み取りプロセスと、それらアルミニウム板の各識別情報とそれら識別情報に対応する各アルミニウム板のあらかじめ設定された再使用可能回数とを含む固有データを格納するデータ格納プロセスと、前記アルミニウム板を前記平版印刷機に装着して印刷を行った度毎に、前記アルミニウム板から読み取った識別情報に基づいてその識別情報のアルミニウム板の再使用済回数に１回を加算し、加算した再使用済回数を記憶する再使用済回数更新プロセスと、読み取った識別情報のアルミニウム板の再使用可能回数と前記再使用済回数更新手段によって記憶した再使用済回数とを比較する回数比較プロセスと、前記再使用済回数が前記再使用可能回数未満の場合にそのアルミニウム板の次回の再使用を可とし、前記再使用済回数が前記再使用可能回数に達している場合にそのアルミニウム板の次回の再使用を不可とする再使用可否判断プロセスとを実行することを特徴とするアルミニウム板管理方法。
【請求項１１】
前記アルミニウム板管理方法が、前記固有データおよび前記再使用済回数と前記再使用可否判断プロセスによって判断した再使用可否データとを出力するデータ出力プロセスを実行する請求項１０記載のアルミニウム板管理方法。
【請求項１２】
前記アルミニウム板管理方法が、読み取った識別情報のアルミニウム板の再使用済回数が１回以上であるかを判断する回数判断プロセスを含み、そのアルミニウム板の再使用済回数が０回である場合、前記回数比較プロセスを実行することなくそのアルミニウム板の次回の再使用を可とし、そのアルミニウム板の再使用済回数が１回以上である場合、前記回数比較プロセスを実行する請求項１０または請求項１１に記載のアルミニウム板管理方法。
【請求項１３】
前記アルミニウム板管理方法が、各アルミニウム板に設定された再使用可能回数を変更する回数変更プロセスを実行する請求項１０ないし請求項１２いずれかに記載のアルミニウム板管理方法。
【請求項１４】
前記識別情報が、そのアルミニウム板を特定するアルミニウム板識別子とそのアルミニウム板の板サイズとのうちの少なくともアルミニウム板識別子である請求項１０ないし請求項１３いずれかに記載のアルミニウム板管理方法。
【請求項１５】
前記固有データには、前記アルミニウム板識別子に対応するそれらアルミニウム板のそれを１回再使用することから削減される二酸化炭素削減量が含まれ、前記アルミニウム板管理方法が、前記アルミニウム板を前記平版印刷機に装着して印刷を行った度毎に、前記アルミニウム板から読み取ったアルミニウム板識別子に基づいてその識別子のアルミニウム板の二酸化炭素削減量を積算し、積算したアルミニウム板の削減量を記憶する第１削減量更新プロセスを実行し、前記データ出力プロセスが、前記アルミニウム板を１回再使用することから削減される二酸化炭素削減量と前記第１削減量更新プロセスによって記憶したそれらアルミニウム板の積算した二酸化炭素削減量とを出力する請求項１４記載のアルミニウム板管理方法。
【請求項１６】
前記識別情報には、前記アルミニウム板を装着する平版印刷機の機器名と、その印刷機を特定する機器識別子とが含まれ、前記アルミニウム板管理方法が、前記機器識別子に基づいてその識別子の平版印刷機の二酸化炭素削減量を積算し、積算した各印刷機の削減量を記憶する第２削減量更新プロセスを実行し、前記データ出力プロセスが、前記第２削減量更新プロセスによって記憶したそれら印刷機の積算した二酸化炭素削減量を出力する請求項１５記載のアルミニウム板管理方法。
【請求項１７】
前記識別情報には、前記アルミニウム板を使用するユーザ名と、そのユーザを特定するユーザ識別子とが含まれ、前記アルミニウム板管理方法が、前記ユーザ識別子に基づいてその識別子のユーザの二酸化炭素削減量を積算し、積算した各ユーザの削減量を記憶する第３削減量更新プロセスを実行し、前記データ出力プロセスが、前記第３削減量更新プロセスによって記憶したそれらユーザの積算した二酸化炭素削減量を出力する請求項１５記載のアルミニウム板管理方法。
【請求項１８】
前記アルミニウム板の一面には、前記識別情報のうちの少なくとも前記アルミニウム板識別子を表すバーコードが表示され、前記アルミニウム板管理方法では、前記識別情報読み取りプロセスにおいて前記バーコードがバーコードリーダーによって読み込まれる請求項１４ないし請求項１７いずれかに記載のアルミニウム板管理方法。
【発明の詳細な説明】
【技術分野】
【０００１】
本発明は、各種の平版印刷機に着脱可能に装着される各種複数のアルミニウム板を管理するアルミニウム板管理システムおよびアルミニウム板管理方法に関する。
【背景技術】
【０００２】
オフセット印刷に代表される平版印刷では、印刷版の基材として厚さ０．３ｍｍの平板状のアルミニウム板が用いられる。一般に、印刷版では、アルミニウム板の表面に感光層を形成し、感光層の上にネガフィルムあるいはポジフィルムを乗せてその上から光を当てて露光することによって印刷版とするＰＳ版と呼ばれるものがある。また、アルミニウム板の表面に直接レーザー光を照射して印刷版とするＣＴＰ版と呼ばれるものがある。これらの印刷版は、印刷機に設置される版胴と呼ばれるドラム状の部品に巻装される。印刷機では、版胴の回転速度と紙やフィルム等の印刷媒体の送り量（送り速度）とを同期させることで、多量の印刷物を刷ることができる。
【０００３】
ところで、平版印刷において印刷版の表面の非画像部には、インクが付着しないように均一な水膜を形成する必要がある。そのため、アルミニウム板の表面には、常に安定した親水性が要求される。安定した親水性を確保するためには、アルミニウムの純度を９９．５％以上にすることが要求されるとともに、アルミニウム板の表面に砂目たてや陽極酸化等の処理を施す必要がある。その要求を満たすため、一度印刷に用いたアルミニウム板は、印刷板として再使用されることがない。
【０００４】
特許文献１には、使用済みのアルミニウム板を溶解し、圧延して印刷版用のアルミニウム板を製造する方法が開示されている。しかし、アルミニウム板を溶解し、圧延するには多量の二酸化炭素が排出されるのみならず、アルミニウムの純度の調節が難しく、この方法は実用に適さず、印刷版には常に新しいアルミニウム板が使用されているのが現状である。なお、新しいアルミニウム板は、ボーキサイトから作られたバージンアルミニウムから製造される。ゆえに、その製造工程において非常に多くの二酸化炭素が排出される。
【０００５】
一方、アルミニウム板の親水化処理の煩雑性の改善や親水性の安定化を目的として、たとえば特許文献２には非画像部に親水性樹脂を用いた印刷版が開示され、特許文献３には非画像部に親水性樹脂を用い、かつ、現像レスのＣＰＴ版が開示されている。それらによれば、支持体にアルミニウム板を使用したとしても、一度使用したアルミニウム板の表面に形成された画像を除去した後、そのアルミニウム板を再使用することができる。
【先行技術文献】
【特許文献】
【０００６】
特許第３４２０８１７号公報（特許文献１）
特開平０８−２９２５５８号公報（特許文献２）
特開２００１−４７７５５号公報（特許文献３）
【発明の概要】
【発明が解決しようとする課題】
【０００７】
ところで、アルミニウム板は、上述したように、印刷機の円柱状の版胴に巻装されて用いられるが、その際、アルミニウム板の両端部が所定の角度に折り曲げられ、折り曲げられた両端部が版胴に形成された支持スリットに差し込まれる。印刷終了後に版胴から取り外されたアルミニウム板を再使用するには、折り曲げられた両端部を折り返して直状に直さなければならない。アルミニウム板の両端部の折り曲げと折り返しとを繰り返すと、引張応力や圧縮応力によって両端部が金属疲労を起こし、端部の強度が次第に低下する。両端部の強度が低下すると、版胴への再装着時に端部が折損したり、印刷中にアルミニウム板が版胴から外れてしまう不具合が生じ、印刷時におけるトラブルの原因となる場合がある。そのため、特許文献１や特許文献２に開示された印刷版において用いられる支持体としてのアルミニウム板はその再使用が可能であるとしても、両端部の金属疲労を考慮してそれを印刷版用として再使用することはなく、新しいアルミニウム板が使用されている。このように、従来は仕様済みのアルミニウム板を再使用せず、資源の無駄が生じていたのみならず、新しいアルミニウム板を製造する際に多量の二酸化炭素が発生し、二酸化炭素の削減に寄与することができなかった。
【０００８】
本発明の目的は、平版印刷機に装着されるアルミニウム板を最適な再使用回数で繰り返して使用することで、再使用されないことによる資源の無駄を省き、二酸化炭素の排出量を削減することができるアルミニウム板管理システムおよびアルミニウム板管理方法を提供することにある。
【課題を解決するための手段】
【０００９】
前記課題を解決するための本発明の第１の前提は、平版印刷機に着脱可能に装着される各種複数のアルミニウム板を管理するアルミニウム板管理システムである。
【００１０】
前記第１の前提における本発明の特徴としては、アルミニウム板管理システムが、それらアルミニウム板に個別に設定された識別情報を読み取る識別情報読み取り手段と、それらアルミニウム板の各識別情報とそれら識別情報に対応する各アルミニウム板のあらかじめ設定された再使用可能回数とを含む固有データを格納するデータ格納手段と、アルミニウム板を平版印刷機に装着して印刷を行った度毎に、アルミニウム板から読み取った識別情報に基づいてその識別情報のアルミニウム板の再使用済回数に１回を加算し、加算した再使用済回数を記憶する再使用済回数更新手段と、読み取った識別情報のアルミニウム板の再使用可能回数と再使用済回数更新手段によって記憶した再使用済回数とを比較する回数比較手段と、再使用済回数が再使用可能回数未満の場合にそのアルミニウム板の次回の再使用を可とし、再使用済回数が再使用可能回数に達している場合にそのアルミニウム板の次回の再使用を不可とする再使用可否判断手段とを有することにある。
【００１１】
本発明に係るアルミニウム板管理システムの一例としては、アルミニウム板管理システムが固有データおよび再使用済回数と再使用可否判断手段によって判断した再使用可否データとを出力するデータ出力手段を有する。
【００１２】
本発明に係るアルミニウム板管理システムの他の一例としては、アルミニウム板管理システムが、読み取った識別情報のアルミニウム板の再使用済回数が１回以上であるかを判断する回数判断手段を含み、そのアルミニウム板の再使用済回数が０回である場合、回数比較手段を実行することなくそのアルミニウム板の次回の再使用を可とし、そのアルミニウム板の再使用済回数が１回以上である場合、回数比較手段を実行する。
【００１３】
本発明に係るアルミニウム板管理システムの他の一例としては、アルミニウム板管理システムが各アルミニウム板に設定された再使用可能回数を変更する回数変更手段を有する。
【００１４】
本発明に係るアルミニウム板管理システムの他の一例としては、識別情報がそのアルミニウム板を特定するアルミニウム板識別子とそのアルミニウム板の板サイズとのうちの少なくともアルミニウム板識別子である。
【００１５】
本発明に係るアルミニウム板管理システムの他の一例として、固有データには、アルミニウム板識別子に対応するそれらアルミニウム板のそれを１回再使用することから削減される二酸化炭素削減量が含まれ、アルミニウム板管理システムが、アルミニウム板を平版印刷機に装着して印刷を行った度毎に、アルミニウム板から読み取ったアルミニウム板識別子に基づいてその識別子のアルミニウム板の二酸化炭素削減量を積算し、積算したアルミニウム板の削減量を記憶する第１削減量更新手段を有し、データ出力手段が、アルミニウム板を１回再使用することから削減される二酸化炭素削減量と第１削減量更新手段によって記憶したそれらアルミニウム板の積算した二酸化炭素削減量とを出力する。
【００１６】
本発明に係るアルミニウム板管理システムの他の一例として、識別情報には、アルミニウム板を装着する平版印刷機の機器名と、その印刷機を特定する機器識別子とが含まれ、アルミニウム板管理システムが、機器識別子に基づいてその識別子の平版印刷機の二酸化炭素削減量を積算し、積算した各印刷機の削減量を記憶する第２削減量更新手段を有し、データ出力手段が、第２削減量更新手段によって記憶したそれら印刷機の積算した二酸化炭素削減量を出力する。
【００１７】
本発明に係るアルミニウム板管理システムの他の一例として、識別情報には、アルミニウム板を使用するユーザ名と、そのユーザを特定するユーザ識別子とが含まれ、アルミニウム板管理システムが、ユーザ識別子に基づいてその識別子のユーザの二酸化炭素削減量を積算し、積算した各ユーザの削減量を記憶する第３削減量更新手段を有し、データ出力手段が、第３削減量更新手段によって記憶したそれらユーザの積算した二酸化炭素削減量を出力する。
【００１８】
本発明に係るアルミニウム板管理システムの他の一例として、アルミニウム板の一面には、識別情報のうちの少なくともアルミニウム板識別子を表すバーコードが表示され、アルミニウム板管理システムでは、識別情報読み取り手段においてバーコードがバーコードリーダーによって読み込まれる。
【００１９】
前記課題を解決するための本発明の第２の前提は、平版印刷機に着脱可能に装着される各種複数のアルミニウム板を管理するアルミニウム板管理方法である。
【００２０】
前記第２の前提における本発明の特徴としては、アルミニウム板管理方法が、それらアルミニウム板に個別に設定された識別情報を読み取る識別情報読み取りプロセスと、それらアルミニウム板の各識別情報とそれら識別情報に対応する各アルミニウム板のあらかじめ設定された再使用可能回数とを含む固有データを格納するデータ格納プロセスと、アルミニウム板を平版印刷機に装着して印刷を行った度毎に、アルミニウム板から読み取った識別情報に基づいてその識別情報のアルミニウム板の再使用済回数に１回を加算し、加算した再使用済回数を記憶する再使用済回数更新プロセスと、読み取った識別情報のアルミニウム板の再使用可能回数と再使用済回数更新手段によって記憶した再使用済回数とを比較する回数比較プロセスと、再使用済回数が再使用可能回数未満の場合にそのアルミニウム板の次回の再使用を可とし、再使用済回数が再使用可能回数に達している場合にそのアルミニウム板の次回の再使用を不可とする再使用可否判断プロセスとを実行することにある。
【００２１】
本発明に係るアルミニウム板管理方法の一例としては、アルミニウム板管理方法が固有データおよび再使用済回数と再使用可否判断プロセスによって判断した再使用可否データとを出力するデータ出力プロセスを実行する。
【００２２】
本発明に係るアルミニウム板管理方法の他の一例としては、アルミニウム板管理方法が、読み取った識別情報のアルミニウム板の再使用済回数が１回以上であるかを判断する回数判断プロセスを含み、そのアルミニウム板の再使用済回数が０回である場合、回数比較プロセスを実行することなくそのアルミニウム板の次回の再使用を可とし、そのアルミニウム板の再使用済回数が１回以上である場合、回数比較プロセスを実行する。
【００２３】
本発明に係るアルミニウム板管理方法の他の一例としては、アルミニウム板管理方法が各アルミニウム板に設定された再使用可能回数を変更する回数変更プロセスを実行する。
【００２４】
本発明に係るアルミニウム板管理方法の他の一例としては、識別情報がそのアルミニウム板を特定するアルミニウム板識別子とそのアルミニウム板の板サイズとのうちの少なくともアルミニウム板識別子である。
【００２５】
本発明に係るアルミニウム板管理方法の他の一例として、固有データには、アルミニウム板識別子に対応するそれらアルミニウム板のそれを１回再使用することから削減される二酸化炭素削減量が含まれ、アルミニウム板管理方法が、アルミニウム板を平版印刷機に装着して印刷を行った度毎に、アルミニウム板から読み取ったアルミニウム板識別子に基づいてその識別子のアルミニウム板の二酸化炭素削減量を積算し、積算したアルミニウム板の削減量を記憶する第１削減量更新プロセスを実行し、データ出力プロセスが、アルミニウム板を１回再使用することから削減される二酸化炭素削減量と第１削減量更新プロセスによって記憶したそれらアルミニウム板の積算した二酸化炭素削減量とを出力する。
【００２６】
本発明に係るアルミニウム板管理方法の他の一例として、識別情報には、アルミニウム板を装着する平版印刷機の機器名と、その印刷機を特定する機器識別子とが含まれ、アルミニウム板管理方法が、機器識別子に基づいてその識別子の平版印刷機の二酸化炭素削減量を積算し、積算した各印刷機の削減量を記憶する第２削減量更新プロセスを実行し、データ出力プロセスが、第２削減量更新プロセスによって記憶したそれら印刷機の積算した二酸化炭素削減量を出力する。
【００２７】
本発明に係るアルミニウム板管理方法の他の一例として、識別情報には、アルミニウム板を使用するユーザ名と、そのユーザを特定するユーザ識別子とが含まれ、アルミニウム板管理方法が、ユーザ識別子に基づいてその識別子のユーザの二酸化炭素削減量を積算し、積算した各ユーザの削減量を記憶する第３削減量更新プロセスを実行し、データ出力プロセスが、第３削減量更新プロセスによって記憶したそれらユーザの積算した二酸化炭素削減量を出力する。
【００２８】
本発明に係るアルミニウム板管理方法の他の一例として、アルミニウム板の一面には、識別情報のうちの少なくともアルミニウム板識別子を表すバーコードが表示され、アルミニウム板管理方法では、識別情報読み取りプロセスにおいてバーコードがバーコードリーダーによって読み込まれる。
【発明の効果】
【００２９】
本発明のアルミニウム板管理システムおよび管理方法によれば、再使用済回数が再使用可能回数未満の場合にアルミニウム板の次回の再使用を可とするから、平版印刷機に装着されるアルミニウム板の再使用時において、そのアルミニウム板の再使用可能回数と実際の再使用済回数とを確認しつつ、適切にアルミニウム板を再使用することができる。管理システムおよび管理方法は、再使用可能回数の分だけアルミニウム板を再使用することができ、アルミニウム板をそれの使用限度まで繰り返して使用することができる。管理システムおよび管理方法は、再使用済回数が再使用可能回数に達している場合にそのアルミニウム板の次回の再使用を不可とするから、使用限界に達したアルミニウム板のそれ以上の再使用を事前に防ぐことができ、印刷時の各種トラブルを防ぐことができる。この管理システムおよび管理方法は、アルミニウム資源の無駄を省くことができ、二酸化炭素の排出量を削減することができる。
【００３０】
固有データおよび使用済回数と再使用可否データとを出力するアルミニウム板管理システムおよび管理方法は、アルミニウム板の再使用可能回数や使用済回数、再使用可、再使用不可を把握することができ、平版印刷機に装着されるアルミニウム板の再使用時において、そのアルミニウム板の再使用可能回数と実際の使用済回数とを確認しつつ、適切にアルミニウム板を再使用することができる。
【００３１】
読み取った識別情報のアルミニウム板の再使用済回数が０回である場合、そのアルミニウム板の次回の再使用を可とし、そのアルミニウム板の再使用済回数が１回以上である場合、回数比較手段（プロセス）を実行するアルミニウム板管理システムおよび管理方法は、再使用済回数が１回以上のアルミニウム板の再使用時において、そのアルミニウム板の再使用可能回数と実際の使用済回数とを確認しつつ、適切にアルミニウム板を再使用することができる。この管理システムおよび管理方法は、アルミニウム板をそれの使用限度まで繰り返して使用することができるから、アルミニウム資源の無駄を省くことができ、二酸化炭素の排出量を削減することができる。
【００３２】
各アルミニウム板に設定された再使用可能回数を変更する回数変更手段を有するアルミニウム板管理システムおよび管理方法は、アルミニウム板の管理状況や再使用時の加工状況等によって、当初の再使用可能回数を変更しなければならなくなったとしても、それに対応することができ、アルミニウム板の状態によって再使用可能回数を自由に変更することができる。
【００３３】
識別情報として、そのアルミニウム板を特定するアルミニウム板識別子とそのアルミニウム板の板サイズとのうちの少なくともアルミニウム板識別子が含まれるアルミニウム板管理システムおよび管理方法は、それらアルミニウム板を各識別子によって特定することができるから、各種複数のアルミニウム板を容易に管理することができる。この管理システムおよび管理方法は、アルミニウム板識別子に対応するアルミニウム板の板サイズを特定することができるから、各種複数のアルミニウム板のサイズを容易に管理することができる。
【００３４】
アルミニウム板識別子に基づいてその識別子のアルミニウム板の二酸化炭素削減量を積算しつつ、アルミニウム板の積算した二酸化炭素削減量を出力するアルミニウム板管理システムおよび管理方法は、アルミニウム板の再使用によって削減された二酸化炭素削減量を各アルミニウム板毎に把握することができ、その削減量を利用して各アルミニウム板毎の実績を評価することができる。この管理システムおよび管理方法は、削減された二酸化炭素排出量を具体的に表示することで、二酸化炭素排出量削減の実績をアピールすることができ、アルミニウム板の再使用を通じて二酸化炭素排出量低減活動を実施していることをアピールすることができる。
【００３５】
平版印刷機の機器識別子に基づいてその識別子の平版印刷機の二酸化炭素削減量を積算するとともに、積算した平版印刷機の削減量を記憶し、平版印刷機の積算した二酸化炭素削減量を出力するアルミニウム板管理システムおよび管理方法は、アルミニウム板の再使用によって削減された二酸化炭素削減量を各平版印刷機毎に把握することができ、その削減量を利用して印刷機毎の実績を評価することができる。管理システムおよび管理方法は、削減された各印刷機毎の二酸化炭素削減量を具体的に表示することで、二酸化炭素排出量削減活動の実績をアピールすることができ、アルミニウム板の再使用を通じて二酸化炭素排出量低減活動を実施していることをアピールすることができる。この管理システムおよび管理方法は、平版印刷機の機器識別子に基づいてアルミニウム板を使用する印刷機を特定することができ、そのアルミニウム板の他の印刷機における使用を防ぐことができる。
【００３６】
ユーザのユーザ識別子に基づいてその識別子のユーザの二酸化炭素削減量を積算するとともに、積算した各ユーザの削減量を記憶し、ユーザの積算した二酸化炭素削減量を出力するアルミニウム板管理システムおよび管理方法は、アルミニウム板の再使用によって削減された二酸化炭素削減量を各ユーザ毎に把握することができ、その削減量を利用してユーザ毎の実績を評価することができる。管理システムおよび管理方法は、削減された各ユーザ毎の二酸化炭素削減量を具体的に表示することで、二酸化炭素排出量削減活動の実績をアピールすることができ、アルミニウム板の再使用を通じて二酸化炭素排出量低減活動を実施していることをアピールすることができる。この管理システムおよび管理方法は、ユーザ識別子に基づいてアルミニウム板を使用するユーザを特定することができ、そのアルミニウム板の他のユーザにおける使用を防ぐことができる。
【００３７】
識別情報のうちの少なくともアルミニウム板識別子がバーコードに格納され、そのバーコードがバーコードリーダーによって読み込まれるアルミニウム板管理システムおよび管理方法は、識別情報を表すバーコードを利用してそれらアルミニウム板を特定することができ、各種複数のアルミニウム板を容易に管理することができる。この管理システムおよび管理方法は、バーコードをアルミニウム板の一面に表示するだけであるから、アルミニウム板の管理を廉価に行うことができる。
【図面の簡単な説明】
【００３８】
【図１】一例として示すアルミニウム板管理システムの構成図。
【図２】平版印刷機に設置される版胴の一例を示す斜視図。
【図３】アルミニウム板を巻装した状態で示す版胴の斜視図。
【図４】アルミニウム板を巻装した状態の版胴の一例を示す断面図。
【図５】版胴から取り外した後のアルミニウム板の一例を示す斜視図。
【図６】システムが実行する各手段を説明するためのフローチャート。
【図７】図６から続くフローチャート。
【図８】初期画面の一例を示す図。
【図９】バーコード表示確認画面の一例を示す図。
【図１０】識別情報入力画面の一例を示す図。
【図１１】固有データ確認画面の一例を示す図。
【図１２】バーコード表示開始画面の一例を示す図。
【図１３】マーキング終了画面の一例を示す図。
【図１４】バーコード読み取り指示画面の一例を示す図。
【図１５】バーコード読み取り完了画面の一例を示す図。
【図１６】固有データ詳細画面の一例を示す図。
【図１７】ユーザ別詳細画面の一例を示す図。
【図１８】印刷機別詳細画面の一例を示す図。
【図１９】再使用確認画面の一例を示す図。
【図２０】移動確認画面の一例を示す図。
【図２１】固有データ詳細画面の他の一例を示す図。
【図２２】ユーザ別詳細画面の他の一例を示す図。
【図２３】印刷機別詳細画面の他の一例を示す図。
【発明を実施するための形態】
【００３９】
添付の図面に基づいて、本発明に係るアルミニウム板管理システムおよびアルミニウム板管理方法の詳細を説明すると、以下のとおりである。図１は、アルミニウム板管理方法を実施する一例として示すアルミニウム板管理システム１０の構成図である。この管理システム１０は、各種の平版印刷機（図示せず）に着脱可能に装着される各種複数のアルミニウム板１７の管理に利用される。
【００４０】
アルミニウム板管理システム１０は、管理コンピュータ１１およびＹＡＧレーザー照射装置１２（レーザーマーカー）と、バーコードリーダー１３とから構成されている。ＹＡＧレーザー照射装置１２やバーコードリーダー１３は、インターフェースを介して管理コンピュータ１１に接続されている。管理コンピュータ１１は、中央処理部とメモリとを備え、大容量ハードディスクを搭載している。
【００４１】
管理コンピュータ１１には、キーボード１４やマウス、スキャナー等の入力装置がインターフェースを介して接続され、ディスプレイ１５やプリンタ等の出力装置がインターフェースを介して接続されている。管理コンピュータ１１のハードディスクには、主要なアルミニウム板のサイズや印刷機の機種名、二酸化炭素削減量の算出式が格納され、アルミニウム板の各寸法（縦寸法、横寸法、厚み寸法）および印刷機の機種とそれらから決定されるアルミニウム板の再使用可能回数との相関関係が格納されている。
【００４２】
管理コンピュータ１１は、オペレーティングシステムによる制御に基づいて、メモリの命令ファイルに格納されたアプリケーションを起動し、アプリケーションに従って以下の各手段を実行する。管理コンピュータ１１は、各種複数のアルミニウム板１７にバーコードを表示するバーコード表示手段（バーコード表示プロセス）を実行する。
【００４３】
バーコードは、管理コンピュータ１１とＹＡＧレーザー照射装置１２とを利用してアルミニウム板１７に刻印（表示）される。ＹＡＧレーザー照射装置１２は、ＹＡＧレーザーによってアルミニウム板１７の面を削り、アルミニウム板１７にバーコードをマーキングする。なお、ＹＡＧレーザー照射装置１２とは別に、バーコードラベル作成装置によってバーコードラベルを作成し、そのラベルをアルミニウム板１７の表面や裏面に貼付することもできる。
【００４４】
バーコードは、各アルミニウム板１７の識別情報を表す。識別情報には、アルミニウム板１７を特定するアルミニウム板識別子、アルミニウム板１７を使用するユーザ名（印刷会社名）、そのユーザを特定するユーザ識別子、アルミニウム板１７の板サイズ、アルミニウム板１７を装着する平版印刷機を特定する機器識別子、機器識別子に対応する平版印刷機の機器名がある。
【００４５】
バーコードには、それら識別情報のうちの少なくともアルミニウム板識別子が格納されている。それら識別情報は、各入力装置を介して管理コンピュータ１１に入力される。バーコードは、バーコードリーダー１３によって読み取られる。バーコードリーダー１３は、読み取ったバーコードのアナログ信号をデジタル信号に変換し、そのデジタル信号を管理コンピュータ１１に出力する。
【００４６】
管理コンピュータ１１は、各アルミニウム板１７に個別に表示された識別情報（バーコード）を読み取る識別情報読み取り手段（識別情報読み取りプロセス）を実行し、各アルミニウム板１７の個別データを格納するデータ格納手段（データ格納プロセス）を実行する。固有データには、アルミニウム板１７の各識別情報（アルミニウム板識別子、ユーザ名、ユーザ識別子、板サイズ、平版印刷機の機器識別子、平版印刷機の機器名）の他に、それら識別情報に対応する各アルミニウム板１７のあらかじめ設定された再使用可能回数、アルミニウム板識別子に対応するそれらアルミニウム板１７のそれを１回再使用することから削減される二酸化炭素削減量（削減されるＣＯ２排出量）が含まれる。
【００４７】
管理コンピュータ１１は、アルミニウム板１７に設定された再使用可能回数を変更する回数変更手段（回数変更プロセス）を実行する。管理コンピュータ１１は、アルミニウム板１７を平版印刷機に装着して印刷を行った度毎に、アルミニウム板１７から読み取った識別情報に基づいてその識別情報のアルミニウム板１７の再使用済回数に１回を加算し、加算した再使用済回数を記憶する再使用済回数更新手段（再使用済回数更新プロセス）を実行する。
【００４８】
管理コンピュータ１１は、アルミニウム板１７を平版印刷機に装着して印刷を行った度毎に、アルミニウム板１７から読み取ったアルミニウム板識別子に基づいてその識別子のアルミニウム板１７の二酸化炭素削減量を積算し、積算したアルミニウム板１７の二酸化炭素削減量を記憶する第１削減量更新手段（第１削減量更新プロセス）を実行する。
【００４９】
管理コンピュータ１１は、平版印刷機の機器識別子に基づいてその識別子の平版印刷機の二酸化炭素削減量を積算し、積算した各印刷機の二酸化炭素削減量を記憶する第２削減量更新手段（第２削減量更新プロセス）を実行する。さらに、ユーザのユーザ識別子に基づいてその識別子のユーザの二酸化炭素削減量を積算し、積算した各ユーザの削減量を記憶する第３削減量更新手段（第３削減量更新プロセス）を実行する。
【００５０】
管理コンピュータ１１は、読み取った識別情報のアルミニウム板１７の再使用済回数が１回以上であるかを判断する回数判断手段（回数判断プロセス）を実行し、読み取った識別情報のアルミニウム板１７の再使用可能回数と使用済回数更新手段によって記憶した使用済回数とを比較する回数比較手段（回数比較プロセス）を実行する。さらに、使用済回数が再使用可能回数未満の場合にそのアルミニウム板１７の次回の再使用を可とし、使用済回数が再使用可能回数に達している場合にそのアルミニウム板１７の次回の再使用を不可とする再使用可否判断手段（再使用可否判断プロセス）を実行する。
【００５１】
なお、管理コンピュータ１１は、アルミニウム板１７の再使用済回数が０回である場合、回数比較手段（回数比較プロセス）を実行することなくそのアルミニウム板の次回の再使用を可とし、アルミニウム板１７の再使用済回数が１回以上である場合、回数比較手段（回数比較プロセス）を実行する。
【００５２】
管理コンピュータ１１は、固有データや再使用済回数、再使用可能回数、再使用可否判断手段によって判断した再使用可否データを出力するデータ出力手段（データ出力プロセス）を実行する。管理コンピュータ１１は、アルミニウム板１７を１回再使用することから削減される二酸化炭素削減量と第１削減量更新手段によって記憶したそれらアルミニウム板１７の積算した二酸化炭素削減量とを出力するとともに、第２削減量更新手段によって記憶したそれら平版印刷機の積算した二酸化炭素削減量を出力し、第３削減量更新手段によって記憶したそれらユーザの積算した二酸化炭素削減量を出力するデータ出力手段（データ出力プロセス）を実行する。
【００５３】
図２は、平版印刷機に設置される版胴１６の一例を示す斜視図であり、図３は、アルミニウム板１７を巻装した状態で示す版胴１６の斜視図である。図４は、アルミニウム板１７を巻装した状態で示す版胴１６の断面図であり、図５は、版胴１６から取り外した後のアルミニウム板１７の一例を示す斜視図である。図５では、アルミニウム板１７の両端部１８ａ，１８ｂを折り返した状態を一点鎖線で示す。アルミニウム板管理システム１０において管理するアルミニウム板１７は、平版印刷機に装着されるドラム状の版胴１６に巻装されて使用される。版胴１６の周面には、アルミニウム板１７の長さ方向両端部１８ａ，１８ｂを挿入して板１７を版胴１６に固定する２つの差し込みスリット１９ａ，１９ｂが形成されている。
【００５４】
アルミニウム板１７は、その平面形状が一方向へ長い長方形に成形され、その表面２０に被印刷面が形成される。アルミニウム板１７を版胴１６に取り付けるには、板１７の両端部１８ａ，１８ｂを任意の角度に折り曲げ、その一端部１８ａを一方のスリット１９ａに差し込んだ後、板１７の裏面が版胴１６の周面に当接するように板１７を版胴１６に巻き付け、さらに残りの一端部１８ｂを他方のスリット１９ｂに差し込む。なお、両端部１８ａ，１８ｂを折り曲げる角度は、アルミニウム板１７を取り付ける版胴１６によって異なる。
【００５５】
アルミニウム板１７は、印刷工程が終了すると版胴１６から取り外される。そのアルミニウム板１７を再使用する場合、板１７の表面２０に再加工処理を施す必要があるが、その際、図５に一点鎖線で示すように、折り曲げられた両端部１８ａ，１８ｂを直状に修正する必要がある。なお、そのアルミニウム板１７の再使用時には、両端部１８ａ，１８ｂを再び折り曲げる必要がある。ゆえに、アルミニウム板１７は、それを再使用する度毎にその両端部１８ａ，１８ｂの折り曲げ処理と折り曲げられた両端部１８ａ，１８ｂの折り返し処理とが繰り返され、引張応力や圧縮応力によって両端部１８ａ，１８ｂが金属疲労を起こし、それによって端部１８ａ，１８ｂの強度が次第に低下する。
【００５６】
両端部１８ａ，１８ｂの強度が低下したアルミニウム板１７は、それを再び版胴１６に装着するときに端部１８ａ，１８ｂが折損して版胴１６に装着することができない場合がある。さらに、両端部１８ａ，１８ｂの強度が低下したアルミニウム板１７を版胴１６に装着して印刷を開始したときに、アルミニウム板１７が版胴１６から外れてしまう場合があり、印刷作業に支障を来すことはもちろん、重大な事故に繋がる恐れさえある。そこで、このアルミニウム板管理システム１０は、アルミニウム板１７の再使用回数の限度を管理し、アルミニウム板１７をその使用限界まで再使用しつつ、印刷作業に生じる支障を防止する。
【００５７】
図６は、このシステム１０が実行する各手段を説明するためのフローチャートであり、図７は、図６から続くフローチャートである。図８〜図２３は、ディスプレイ１５に表示される各表示画面の一例を示す図である。それら図に基づいてアルミニウム板管理システム１０が実行する各手段を具体的に説明すると、以下のとおりである。システム１０を起動すると、管理コンピュータ１１は、それに接続されたディスプレイ１５に認証手続き画面（図示せず）を表示する。
【００５８】
管理コンピュータ１１は、その起動時においてそれを利用する利用者の認証を行う。認証の目的は、管理コンピュータ１１を起動した利用者が正当な権限を有するかを判断することにある。管理コンピュータ１１が行う認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５９】
認証手続き画面には、ユーザ名の入力エリアとパスワードの入力エリアとが表示される。利用者は、それら入力エリアにユーザ名とパスワードとを入力する。管理コンピュータ１１は、入力されたユーザ名およびパスワードをメモリに格納されたそれらと比較し、ユーザ名およびパスワードの正誤を判断する。ユーザ名およびパスワードが正しく認証結果が可である場合、管理コンピュータ１１は、アルミニウム板管理システムの使用を許可し、ディスプレイ１５に図８に示す初期画面を表示する。ユーザ名やパスワードが誤っていて認証結果が不可である場合、管理コンピュータ１１は、アルミニウム板管理システム１０の使用を禁止し、使用禁止メッセージをディスプレイ１５に表示する。
【００６０】
ディスプレイ１５に表示された初期画面には、図８に示すように、このシステム１０のタイトルとともに、スタートボタン３０、ログアウトボタン３１が表示される。ログアウトボタン３１を押すと、このシステム１０からログアウトする。スタートボタン３０を押すと、管理コンピュータ１１は、アルミニウム板１７にバーコードが表示されているかを問い合わせるためのバーコード表示確認画面をディスプレイ１５に表示する。
【００６１】
バーコード表示確認画面には、図９に示すように、バーコード表示の有無のメッセージとともに、ＹＥＳチェックボックス３２、ＮＯチェックボックス３３、実行ボタン３４、キャンセルボタン３５が表示される。キャンセルボタン３５を押すと、図示はしていないが、管理コンピュータ１１は、システム１０の続行の有無を問い合わせるメッセージとともに、続行ボタン、キャンセルボタンをディスプレイ１５に表示する。さらにキャンセルボタンを押すと、管理コンピュータ１１は、システム１０の手続を一時終了し、図８の初期画面をディスプレイ１５に表示する。
【００６２】
管理コンピュータ１１は、ＹＥＳまたはＮＯのチェックボックス３２，３３のチェックマークにより、アルミニウム板１７におけるバーコード表示の有無を判断する（Ｓ−１）。最初に、アルミニウム板１７にバーコードが表示されておらず、そのアルミニウム板１７が「新たに管理を開始する板」である場合において、このシステム１０が実行する管理手順を説明すると、以下のとおりである。
【００６３】
この場合、図９のバーコード表示画面においてＮＯのチェックボックス３３にチェックマークを入れ、実行ボタン３４を押す。実行ボタン３４を押すと、管理コンピュータ１１は、アルミニウム板１７にバーコードが表示されていないと判断する（Ｓ−１）。次に、管理コンピュータ１１は、識別情報入力画面をディスプレイ１５に表示する。識別情報入力画面には、図１０に示すように、ユーザ名入力エリア３６、板サイズ第１入力エリア３７（アルミニウム板の横寸法、縦寸法入力エリア）、板サイズ第２入力エリア３８（アルミニウム板の厚み寸法入力エリア）、印刷機名入力エリア３９（平版印刷機の機器名入力エリア）、再利用可能回数入力エリア４０、自動設定ボタン４１、実行ボタン４２、クリアボタン４３が表示される。
【００６４】
入力装置を介してそれら入力エリアに各データを入力する。主要な板サイズや印刷機の機種名は管理コンピュータ１１のハードディスクにあらかじめ格納されており、板サイズや機種名をプルダウンリストから選択し、選択した板サイズや機種名を入力エリア３７，３８，３９に表示することもできる。アルミニウム板１７のサイズとしては、たとえば、縦寸法が１，０６０ｍｍまたは８００ｍｍ、横寸法が７３０ｍｍまたは６２０ｍｍ、厚さ寸法が０．２４ｍｍや０．２８ｍｍ、０．３３ｍｍがある。
【００６５】
なお、識別情報入力画面では再利用可能回数の自動設定ボタン４１が反転しており、再利用可能回数は基本的に自動設定されるが、再利用可能回数入力エリア４０に回数を入力することで、再利用可能回数を任意かつ自由に設定することもできる（回数変更手段、回数変更プロセス）。入力作業は、１枚のアルミニウム板１７を新たに管理するときに一度だけ行うものであって、同一のアルミニウム板１７では再入力する必要はない。
【００６６】
図１０の識別情報入力画面においてクリアボタン４３を押すと、各入力エリアに入力された各データがクリアされ、入力エリアにデータを再度入力する。各データを入力した後、実行ボタン４２を押すと、管理コンピュータ１１は、各入力エリアに入力された識別情報を読み取り（識別情報読み取り手段、識別情報読み取りプロセス）、板サイズと印刷機の機種とから設定されたアルミニウム板１７に固有の再使用可能回数（Ａ）をハードディスクから抽出するとともに（Ｓ−２）、アルミニウム板１７を特定するアルミニウム板識別子と印刷機を特定する機器識別子とを生成する（Ｓ−３）。なお、アルミニウム板１７には、最初に設定される再使用可能回数（Ａ）とは別に、それの再使用の度毎に１回ずつ回数が加算される再使用済回数（Ｂ）が設定される。管理コンピュータ１１は、ステップ１（Ｓ−１）においてバーコードが表示されていないと判断すると、そのアルミニウム板１７に再使用可能回数（Ａ）とともに再使用済回数（Ｂ）＝０を設定する（Ｓ−４）。
【００６７】
次に、管理コンピュータ１１は、固有データ確認画面をディスプレイ１５に表示する（Ｓ−５）。固有データ確認画面には、図１１に示すように、ユーザ名表示エリア４４にユーザ名、板番号表示エリア４５に板番号（識別子）、板サイズ第１表示エリア４６に板の縦寸法および横寸法、板サイズ第２表示エリア４７に板の厚み寸法、印刷機名表示エリア４８に印刷機名、印刷機番号表示エリア４９に印刷機番号（識別子）、再利用可能回数表示エリア５０に再使用可能回数、再使用済回数表示エリア５１に再使用済回数（０回）、確認ボタン５２、キャンセルボタン５３、変更ボタン５４が表示される。
【００６８】
それら表示エリアに表示された各データに誤りがなく、変更の必要がない場合は、確認ボタン５２を押す。確認ボタン５２を押すと、管理コンピュータ１１は、データの変更無と判断し（Ｓ−６）、そのアルミニウム板１７が１回使用された場合の二酸化炭素削減量を算出する（Ｓ−７）。管理コンピュータ１１は、二酸化炭素削減量を算出した後、ユーザ名、ユーザ識別子、板サイズ、印刷機名、印刷機識別子、再使用可能回数（Ａ）、使用回数（Ｂ）＝０、使用１回における二酸化炭素削減量をアルミニウム板識別子に関連付けた状態でハードディスクに格納する（Ｓ−８）（データ格納手段、データ格納プロセス）。
【００６９】
管理コンピュータ１１は、アルミニウム板１７の各サイズを変数とし、そのアルミニウム板１７が１回使用された場合の二酸化炭素削減量を以下の算出式によって求める。二酸化炭素削減量の算出式の一例は、二酸化炭素削減量（Ｋｇ）＝｛ａ（２４．８８８６×ｂ×ｃ―４４．２）｝／１，０００，０００である。この算出式は、社団法人日本アルミニウム協会による平成１７年３月２３日発表のＬＣＩデータ概要に準拠している。算出式のうち、ａは、アルミニウム板１７の横方向（感光層剥離工程でコンベアの流れる方向）の長さ寸法（ｍｍ）、ｂは、アルミニウム板１７の縦方向の長さ寸法（ｍｍ）、ｃは、アルミニウム板１７の厚さ寸法（ｍｍ）である。なお、版タイプがＣＴＰ版の場合は、再使用の都度アルミニウム板１７の厚さ寸法が表面研削により減少するから、その厚さ減少分を考慮した二酸化炭素削減量がハードディスクに格納されている。
【００７０】
図１１の固有データ確認画面においてキャンセルボタン５３を押すと、図示はしていないが、管理コンピュータ１１は、システム１０の続行の有無を問い合わせるメッセージとともに、続行ボタン、キャンセルボタンをディスプレイ１５に表示する。さらにキャンセルボタンを押すと、管理コンピュータ１１は、固有データをすべてクリアしてシステム１０の手続を一時終了し、図８の初期画面をディスプレイ１５に表示する。続行ボタンを押すと、管理コンピュータ１１は、図１１の固有データ確認画面をディスプレイ１５に表示する。
【００７１】
図１１の固有データ確認画面において変更ボタン５４を押すと、管理コンピュータ１１は、識別情報の変更有と判断し（Ｓ−６）、図１０の固有データ入力画面をディスプレイ１５に表示し、各データを再度入力させ、ステップ２（Ｓ−２）からの手続を繰り返す。ステップ８（Ｓ−８）において各データを格納した後、管理コンピュータ１１は、それら識別情報を表すバーコードを生成するとともに（Ｓ−９）、バーコード表示開始画面をディスプレイ１５に表示する。
【００７２】
バーコード表示開始画面には、図１２に示すように、生成したバーコードとともに、開始ボタン５５、キャンセルボタン５６が表示される。バーコード表示開始画面においてキャンセルボタン５６を押すと、図示はしていないが、管理コンピュータ１１は、システム１０の続行の有無を問い合わせるメッセージとともに、続行ボタン、キャンセルボタンをディスプレイ１５に表示する。さらにキャンセルボタンを押すと、管理コンピュータ１１は、固有データをすべてクリアしてシステム１０の手続を一時終了し、図８の初期画面をディスプレイ１５に表示する。続行ボタンを押すと、管理コンピュータ１１は、図１２のバーコード表示開始画面をディスプレイ１５に表示する。
【００７３】
図１２のバーコード表示開始画面において開始ボタン５５を押すと、管理コンピュータ１１は、生成したバーコードとバーコードのマーキング指令とをＹＡＧレーザー照射装置１２に出力する（バーコード表示手段、バーコード表示プロセス）。ＹＡＧレーザー照射装置１２は、マーキング指令に基づいてアルミニウム板１７の面に管理コンピュータ１１において生成されたバーコードをマーキングする。ＹＡＧレーザー照射装置１２によるバーコードのマーキング時には、アルミニウム板１７がレーザー照射装置１２にセットされている。
【００７４】
なお、バーコードを印刷したバーコードラベルをアルミニウム板１７に貼付する場合、管理コンピュータ１１は、生成したバーコードとバーコードラベルの作成指令とをバーコードラベル作成装置に出力する。バーコードラベル作成装置は、作成指令に基づいて管理コンピュータ１１において生成されたバーコードを印刷したバーコードラベルを作成する。作成されたバーコードラベルは、アルミニウム板１７の表面や裏面に貼付される。
【００７５】
ＹＡＧレーザー照射装置１２によるバーコードのマーキングが終了すると、管理コンピュータ１１は、マーキング終了画面をディスプレイ１５に表示する。マーキング終了画面には、図１３に示すように、バーコード表示完了メッセージとともに完了ボタン５７が表示される。アルミニウム板１７をＹＡＧレーザー照射装置１２から取り外した後、マーキング終了画面において完了ボタン５７を押すと、管理コンピュータ１１は、バーコード読み取り指示画面をディスプレイ１５に表示する。バーコード読み取り指示画面には、図１４に示すように、開始ボタン５８と終了ボタン５９とが表示される。
【００７６】
図１４のバーコード読み取り指示画面において終了ボタン５９を押すと、管理コンピュータ１１は、バーコードの読み取り無と判断し（Ｓ−１１）、図９のバーコード表示確認画面をディスプレイ１５に表示する。バーコード読み取り指示画面において開始ボタン５８を押すと、管理コンピュータ１１は、バーコードを読み取り有りと判断し（Ｓ−１１）、図示はしていないが、アルミニウム板１７の裏面に表示されたバーコードの読み取り指示メッセージをディスプレイ１５に表示する。バーコードリーダー１３を介してアルミニウム板１７のバーコードが読み込まれると、バーコードリーダー１３はバーコードが表すアナログ信号（識別情報）をデジタル信号に変換し、そのデジタル信号を管理コンピュータ１１に出力する。
【００７７】
管理コンピュータ１１は、バーコードリーダー１３から出力されたデジタル信号からバーコードが表す識別情報を読み取る（識別情報読み取り手段、識別情報読み取りプロセス）。管理コンピュータ１１は、識別情報を読み取ると、バーコード読み取り完了画面をディスプレイ１５に表示する。バーコード読み取り完了画面には、図１５に示すように、バーコード読み取り完了メッセージとともに、読み取ったバーコード、確認ボタン６０が表示される。なお、バーコードが読み取れなかった場合、図示はしていないが、管理コンピュータ１１は、バーコードの再読み取り指示メッセージをディスプレイ１５に表示する。
【００７８】
図１５のバーコード読み取り完了画面において確認ボタン６０を押すと、管理コンピュータ１１は、バーコードが表す識別情報をハードディスクに格納する（Ｓ−１２）（データ格納手段、データ格納プロセス）。管理コンピュータ１１は、読み取ったバーコードからそのバーコードが表すアルミニウム板識別子（板番号）と印刷機識別子（印刷機番号）とのうちの少なくともアルミニウム板識別子を検索し、その識別子をハードディスクから抽出するとともに、その識別子に対応する再使用済回数と再使用可能回数とを抽出する。
【００７９】
管理コンピュータ１１は、そのアルミニウム板識別子のアルミニウム板１７の再使用済回数（Ｂ）が（０）であるか否かを判断する（Ｓ−１３）（回数判断手段、回数判断プロセス）。アルミニウム板１７は初めて使用されるから、再使用済回数（Ｂ）が（０）であり、管理コンピュータ１１は、再使用済回数（Ｂ）＝（０）と判断する。使用回数（Ｂ）が（０）である場合、管理コンピュータ１１は、そのアルミニウム板識別子に対応するユーザ識別子、ユーザ名、アルミニウム板の縦寸法や横寸法、厚み寸法、印刷機識別子、印刷機名、再利用可能回数、再使用済回数、再使用１回についての二酸化炭素の削減量、二酸化炭素削減量の積載値をハードディスクから抽出し、アルミニウム板１７のそれら固有データの詳細画面をディスプレイ１５に表示する（Ｓ−１４）データ出力手段（データ出力プロセス）。
【００８０】
固有データの詳細画面には、図１６に示すように、ユーザ名表示エリア６１にユーザ名、板番号表示エリア６２に板番号（識別子）、板サイズ第１表示エリア６３に板の縦寸法および横寸法、板サイズ第２表示エリア６４に板の厚み寸法、印刷機名表示エリア６５に印刷機名、印刷機番号表示エリア６６に印刷機番号（識別子）、再利用可能回数表示エリア６７に再利用可能回数、再使用済回数表示エリア６８に再使用済回数（０回）、再使用１回についての二酸化炭素削減量表示エリア６９に二酸化炭素の削減量、二酸化炭素削減量の積載値表示エリア７０に二酸化炭素削減量の積載値が表示される。さらに、ユーザ別詳細ボタン７１、印刷機別詳細ボタン７２、確認ボタン７３、キャンセルボタン７４が表示される。なお、再利用可能回数表示エリア６７には変更ボタン７５が表示される。
【００８１】
図１６の固有データ詳細画面によって、各アルミニウム板１７の再使用１回についての二酸化炭素削減量、そのアルミニウム板１７の二酸化炭素削減量の積載値を知ることができ、その削減量を利用して各アルミニウム板毎の実績を評価することができる。アルミニウム板１７は初めて使用されるものであるから、二酸化炭素削減量の積載値は二酸化炭素削減量表示エリア６９に表示された二酸化炭素の削減量と同一となる。図１６の固有データ詳細画面においてキャンセルボタン７４を押すと、管理コンピュータ１１は、図１４のバーコード読み取り指示画面をディスプレイ１５に表示する。なお、図１６の固有データは、プリンタを介して出力することができるデータ出力手段（データ出力プロセス）。
【００８２】
図１６の固有データ詳細画面においてユーザ別詳細ボタン７１を押すと、管理コンピュータ１１は、図１６の固有データ詳細画面に表示されたアルミニウム板１７の各ユーザにおける二酸化炭素削減量等のユーザ別詳細画面をディスプレイ１５に表示するデータ出力手段（データ出力プロセス）。ユーザ別詳細画面には、図１７に示すように、ユーザ名表示エリア７６にユーザ名、期間表示エリア７７に期間、アルミニウム板再使用枚数表示エリア７８にその期間における板の再使用枚数、二酸化炭素削減量の積算値表示エリア７９にその期間における二酸化炭素削減量の積算値、１日当たりの二酸化炭素削減量表示エリア８０に１日当たりの二酸化炭素削減量、確認ボタン８１が表示される。
【００８３】
図１７のユーザ別詳細画面によって、各ユーザにおけるアルミニウム板１７の再使用枚数や各ユーザにおける二酸化炭素削減量の詳細を知ることができ、その削減量を利用してユーザ毎の実績を評価することができる。図１７のユーザ別詳細画面において確認ボタン８１を押すと、管理コンピュータ１１は、図１６の固有データ詳細画面をディスプレイ１５に表示する。なお、図１７のユーザ別データは、プリンタを介して出力することができるデータ出力手段（データ出力プロセス）。
【００８４】
図１６の固有データ詳細画面において印刷機別詳細ボタン７２を押すと、管理コンピュータ１１は、図１６の固有データ詳細画面に表示されたアルミニウム板１７の各ユーザにおける印刷機別の二酸化炭素削減量等の印刷機別詳細画面をディスプレイ１５に表示するデータ出力手段（データ出力プロセス）。二酸化炭素削減量の印刷機別詳細画面には、図１８に示すように、ユーザ名表示エリア８２にユーザ名、期間表示エリア８３に期間、印刷記名表示エリア８４に各印刷機名、アルミニウム板再使用枚数表示エリア８５にその期間における印刷機のアルミニウム板１７の再使用枚数、二酸化炭素削減量の積算値表示エリア８６にその期間における印刷機の二酸化炭素削減量の積算値、１日当たりの二酸化炭素削減量表示エリア８７に１日当たりの二酸化炭素削減量、確認ボタン８８が表示される。
【００８５】
図１８の印刷機別詳細画面によって、各印刷機におけるアルミニウム板１７の再使用枚数や各印刷機における二酸化炭素削減量の詳細を知ることができ、その削減量を利用して印刷機毎の実績を評価することができる。図１８の印刷機別詳細画面において確認ボタン８８を押すと、管理コンピュータ１１は、図１６の固有データ詳細画面をディスプレイ１５に表示する。なお、図１８の印刷機別データは、プリンタを介して出力することができるデータ出力手段（データ出力プロセス）。
【００８６】
図１６の固有データ詳細画面において再使用可能回数に変更がある場合は、再使用可能回数表示エリア６７の変更ボタン７５を押す。変更ボタン７５を押すと、管理コンピュータ１１は、再使用可能回数に変更有りと判断し（Ｓ−１５）、再使用可能回数表示エリア６７に表示された再使用可能回数を消去する。再使用可能回数を変更するには、入力装置を介してその表示エリア６７にあらたな再使用可能回数を入力し、確認ボタン７３を押す。確認ボタン７３を押すと、管理コンピュータ１１は、再使用可能回数をあらたに入力されたそれに変更し（Ｓ−１６）（再使用可能回数変更手段、再使用可能回数変更プロセス）、変更した再使用可能回数をアルミニウム板１７の識別子に関連付けてハードディスクに格納する。このシステム１０は、アルミニウム板１７の管理状況や再使用時の加工状況等によって、当初の再使用可能回数を変更しなければならなくなったとしても、それに対応することができ、アルミニウム板１７の状態によって再使用可能回数を自由に変更することができる。
【００８７】
再使用可能回数に変更がない場合は、図１６の固有データ詳細画面において確認ボタン７３を押す。確認ボタン７３を押すと、管理コンピュータ１１は、再使用可能回数の変更無と判断し（Ｓ−１５）、再使用確認画面をディスプレイ１５に表示する。再使用確認画面には、図１９に示すように、再使用可能メッセージとともに、板番号表示エリア８９に板番号（識別子）、ＹＥＳチェックボックス９０、ＮＯチェックボックス９１、終了チェックボックス９２、実行ボタン９３、クリアボタン９４が表示される。
【００８８】
アルミニウム板１７を直ちに再使用せず、後日再使用する場合は、図１９の再使用確認画面においてＮＯのチェックボックス９１にチェックマークを入れ、実行ボタン９３を押す。ＮＯのチェックボックス９１にチェックマークを入れて実行ボタン９３を押すと、図示はしていないが、管理コンピュータ１１は、現時点においてアルミニウム板１７を再使用しないと判断し（Ｓ−１７）、システム１０の続行の有無を問い合わせるメッセージとともに、続行ボタン、キャンセルボタンをディスプレイ１５に表示する。さらにキャンセルボタンを押すと、管理コンピュータ１１は、システム１０の手続を一時終了し、図８の初期画面をディスプレイ１５に表示する。続行ボタンを押すと、管理コンピュータ１１は、図１９の再使用確認画面をディスプレイ１５に表示する。
【００８９】
アルミニウム板１７の再使用を終了する場合は、図１９の再使用確認画面において終了のチェックボックス９２にチェックマークを入れ、実行ボタン９３を押す。終了のチェックボックス９２にチェックマークを入れて実行ボタン９３を押すと、図示はしていないが、管理コンピュータ１１は、キャンセルボタン、確認ボタンをディスプレイ１５に表示する。その画面においてキャンセルボタンを押すと、管理コンピュータ１１は、図１９の再使用確認画面をディスプレイ１５に表示する。確認ボタンを押すと、管理コンピュータ１１は、使用済回数が再使用可能回数に達していなくても、換言すれば、そのアルミニウム板１７の再使用が可能であるとしても、そのアルミニウム板１７の再度の使用を終了（中止）する。管理コンピュータ１１は、システム１０の手続を一時終了し、図８の初期画面をディスプレイ１５に表示する。
【００９０】
再使用の終了は、アルミニウム板１７が再使用可能であるにもかかわらず、たとえばアルミニウム板１７の損傷や汚れ等の事情により、アルミニウム板１７を今後再使用しない場合に選択する。再使用終了が確定すると、管理コンピュータ１１は、終了対象のアルミニウム板１７にその識別子に関連付けて再使用終了データを設定する。再使用終了データが設定されたアルミニウム板１７は、以後の再使用が不可となる。
【００９１】
アルミニウム板１７を再使用する場合は、図１９の再使用確認画面においてＹＥＳのチェックボックス９０にチェックマークを入れ、実行ボタン９３を押す。ＹＥＳのチェックボックス９０にチェックマークを入れて実行ボタン９３を押すと、管理コンピュータ１１は、現時点においてアルミニウム板１７を再使用すると判断し（Ｓ−１７）、そのアルミニウム板１７の使用済回数に１回を加算し（Ｓ−１８）再使用済回数更新手段（再使用済回数更新プロセス）、加算した使用済回数をそのアルミニウム板１７の識別子に関連付けてハードディスクに格納するデータ格納手段（データ格納プロセス）。
【００９２】
管理コンピュータ１１は、そのアルミニウム板１７の二酸化炭素削減量を積算し、積算したアルミニウム板１７の二酸化炭素削減量をハードディスクに格納し（第１削減量更新手段、第１削減量更新プロセス）、平版印刷機の機器識別子に基づいてその識別子の平版印刷機の二酸化炭素削減量を積算し、積算した各印刷機の二酸化炭素削減量をハードディスクに格納する（第２削減量更新手段、第２削減量更新プロセス）。さらに、ユーザのユーザ識別子に基づいてその識別子のユーザの二酸化炭素削減量を積算し、積算した各ユーザの削減量をハードディスクに格納する（第３削減量更新手段、第３削減量更新プロセス）。
【００９３】
次に、管理コンピュータ１１は、アルミニウム板１７の印刷工程への移動確認画面をディスプレイ１５に表示する（Ｓ−１９）。移動確認画面には、図２０に示すように、印刷工程への移動メッセージとともに、確認ボタン９５、キャンセルボタン９６が表示される。キャンセルボタン９６を押すと、管理コンピュータ１１は、図１９の再使用確認画面をディスプレイ１５に表示する。確認ボタン９５を押すと、管理コンピュータ１１は、システム１０の手続を一時終了し、図８の初期画面をディスプレイ１５に表示する。
【００９４】
次に、アルミニウム板１７が既に１回以上使用された場合、または、バーコードの表示が行われた後のアルミニウム板１７において、図９のバーコード表示確認画面や図１９の再使用確認画面においてシステム１０を中断した場合について説明する。この場合、アルミニウム板１７の裏面には、既にバーコードが表示されている。初期画面においてスタートボタン３０を押し、図９のバーコード表示確認画面を表示させる。バーコード表示確認画面においてＹＥＳのチェックボックス３２にチェックマークを入れ、実行ボタン３４を押す。実行ボタン３４を押すと、管理コンピュータ１１は、アルミニウム板１７にバーコードが表示されていると判断し（Ｓ−１）、図１４に示すバーコード読み取り指示画面をディスプレイ１５に表示する。
【００９５】
バーコード読み取り指示画面において終了ボタン５９を押すと、管理コンピュータ１１は、バーコードを読み取らないと判断し（Ｓ−１１）、図９のバーコード表示確認画面をディスプレイ１５に表示する。この場合、バーコード表示確認画面のキャンセルボタン３５を押す。キャンセルボタン３５を押すと、管理コンピュータ１１は、システム１０の続行の有無を問い合わせるメッセージとともに、続行ボタン、キャンセルボタンをディスプレイ１５に表示する。さらにキャンセルボタンを押すと、管理コンピュータ１１は、システム１０の手続を一時終了し、図８の初期画面をディスプレイ１５に表示する。
【００９６】
バーコード読み取り指示画面において開始ボタン５８を押すと、管理コンピュータ１１は、バーコードを読み取ると判断し（Ｓ−１１）、アルミニウム板１７の裏面に表示されたバーコードの読み取り指示メッセージをディスプレイ１５に表示する。バーコードリーダー１３を介してアルミニウム板１７のバーコードが読み込まれると、バーコードリーダー１３はバーコードが表すアナログ信号（識別情報）をデジタル信号に変換し、そのデジタル信号を管理コンピュータ１１に出力する。
【００９７】
管理コンピュータ１１は、バーコードリーダー１３から出力されたデジタル信号からバーコードが表す識別情報を読み取る（識別情報読み取り手段、識別情報読み取りプロセス）。管理コンピュータ１１は、識別情報を読み取ると、図１５に示すバーコード読み取り完了画面をディスプレイ１５に表示する。なお、バーコードが読み取れなかった場合、管理コンピュータ１１は、バーコードの再読み取り指示メッセージをディスプレイ１５に表示する。
【００９８】
図１５のバーコード読み取り完了画面において確認ボタン６０を押すと、管理コンピュータ１１は、バーコードが表す識別情報をハードディスクに格納する（Ｓ−１２）（データ格納手段、データ格納プロセス）。管理コンピュータ１１は、読み取ったバーコードからそのバーコードが表すアルミニウム板識別子（板番号）と印刷機識別子（印刷機番号）とのうちの少なくともアルミニウム板識別子を検索し、その識別子をハードディスクから抽出するとともに、その識別子に対応する再使用済回数と再使用可能回数とを抽出する。管理コンピュータ１１は、そのアルミニウム板識別子のアルミニウム板１７の再使用済回数（Ｂ）が（０）であるか否かを判断する（Ｓ−１３）（回数判断手段、回数判断プロセス）。アルミニウム板１７は既に１回以上使用されているから、再使用済回数（Ｂ）が（０）ではなく、管理コンピュータ１１は、再使用済回数（Ｂ）≠（０）と判断する。
【００９９】
次に、管理コンピュータ１１は、再使用済回数（Ｂ）が再使用可能回数（Ａ）に達しているかを判断する（Ｓ−２０）（回数比較手段、回数比較プロセス）。管理コンピュータ１１は、アルミニウム板識別子からその識別子に対応するアルミニウム板１７の再使用済回数（Ｂ）と再使用可能回数（Ａ）とをハードディスクから抽出し、再使用済回数（Ｂ）と再使用可能回数（Ａ）とを比較する。再使用済回数（Ｂ）が再使用可能回数（Ａ）未満である場合、管理コンピュータ１１は、その識別子のアルミニウム板の固有データの詳細画面をディスプレイ１５に表示する（図１６参照）（Ｓ−１４）。
【０１００】
その後、管理コンピュータ１１は、アルミニウム板１７の再使用可能回数の変更の有無を判断し（Ｓ−１５）、変更有りの場合、再使用可能回数をあらたに入力されたそれに変更する（Ｓ−１６）（再使用可能回数変更手段、再使用可能回数変更プロセス）。変更無の場合、管理コンピュータ１１は、アルミニウム板１７の再使用の有無を判断する（Ｓ−１７）。管理コンピュータ１１は、現時点においてアルミニウム板１７を再使用すると判断すると、そのアルミニウム板１７の使用済回数に１回を加算し（Ｓ−１８）再使用済回数更新手段（再使用済回数更新プロセス）、加算した使用済回数をそのアルミニウム板１７の識別子に関連付けてハードディスクに格納するデータ格納手段（データ格納プロセス）。
【０１０１】
管理コンピュータ１１は、そのアルミニウム板１７の二酸化炭素削減量を積算し、積算したアルミニウム板１７の二酸化炭素削減量をハードディスクに格納し（第１削減量更新手段、第１削減量更新プロセス）、平版印刷機の機器識別子に基づいてその識別子の平版印刷機の二酸化炭素削減量を積算し、積算した各印刷機の二酸化炭素削減量をハードディスクに格納する（第２削減量更新手段、第２削減量更新プロセス）。さらに、ユーザのユーザ識別子に基づいてその識別子のユーザの二酸化炭素削減量を積算し、積算した各ユーザの削減量をハードディスクに格納する（第３削減量更新手段、第３削減量更新プロセス）。
【０１０２】
次に、管理コンピュータ１１は、アルミニウム板１７の印刷工程への移動確認画面をディスプレイ１５に表示する（Ｓ−１９）。移動確認画面には、図２０に示すように、印刷工程への移動メッセージとともに、確認ボタン９５、キャンセルボタン９６が表示される。キャンセルボタン９６を押すと、管理コンピュータ１１は、図１９の再使用確認画面をディスプレイ１５に表示する。確認ボタン９５を押すと、管理コンピュータ１１は、システム１０の手続を一時終了し、図８の初期画面をディスプレイ１５に表示する。
【０１０３】
管理コンピュータ１１は、ステップ２０（Ｓ−２０）において、再使用済回数（Ｂ）が再使用可能回数（Ａ）に達していると判断すると、その識別子のアルミニウム板１７の固有データの詳細画面をディスプレイ１５に表示する（Ｓ−２１）（データ出力手段、データ出力プロセス）。固有データ詳細画面には、図２１に示すように、ユーザ名表示エリア９７にユーザ名、板番号表示エリア９８に板番号（識別子）、板サイズ第１表示エリア９９に板の縦寸法および横寸法、板サイズ第２表示エリア１００に板の厚み寸法、印刷機名表示エリア１０１に印刷機名、印刷機番号表示エリア１０２に印刷機番号（識別子）、再使用済回数表示エリア１０３に再使用済回数、終了日時表示エリア１０４に再使用の終了日時、再使用１回についての二酸化炭素削減量表示エリア１０５に二酸化炭素の削減量、二酸化炭素削減量の積載値表示エリア１０６に終了日時における二酸化炭素削減量の積載値が表示される。さらに、ユーザ別詳細ボタン１０７、印刷機別詳細ボタン１０８、確認ボタン１０９が表示される。
【０１０４】
図２１の固有データ詳細画面によって各アルミニウム板１７の再使用１回についての二酸化炭素削減量、そのアルミニウム板１７の終了日時における二酸化炭素削減量の積載値を知ることができる。図２１の固有データ詳細画面において確認ボタン１０９を押すと、管理コンピュータ１１は、図８の初期画面をディスプレイ１５に表示する。なお、図２１の固有データは、プリンタを介して出力することができる（データ出力手段、データ出力プロセス）。
【０１０５】
図２１の固有データ詳細画面においてユーザ別詳細ボタン１０７を押すと、管理コンピュータ１１は、図２１の固有データ詳細画面に表示されたアルミニウム板１７の各ユーザにおける二酸化炭素削減量等のユーザ別詳細画面をディスプレイ１５に表示する（データ出力手段、データ出力プロセス）。ユーザ別詳細画面には、図２２に示すように、ユーザ名表示エリア１１０にユーザ名、終了日時表示エリア１１１に終了日時、期間表示エリア１１２に期間、アルミニウム板再使用枚数表示エリア１１３にその期間における板の再使用枚数、二酸化炭素削減量の積算値表示エリア１１４にその期間における二酸化炭素削減量の積算値、１日当たりの二酸化炭素削減量表示エリア１１５に１日当たりの二酸化炭素削減量、確認ボタン１１６が表示される。
【０１０６】
図２２のユーザ別詳細画面によって各ユーザの終了日時におけるアルミニウム板１７の再使用枚数や各ユーザにおける二酸化炭素削減量の詳細を知ることができる。図１７のユーザ別詳細画面において確認ボタン１１６を押すと、管理コンピュータ１１は、図２１の固有データ詳細画面をディスプレイ１５に表示する。なお、図２２のユーザ別データは、プリンタを介して出力することができる（データ出力手段、データ出力プロセス）。
【０１０７】
図２１の固有データ詳細画面において印刷機別詳細ボタン１０８を押すと、管理コンピュータ１１は、図２１の固有データ詳細画面に表示されたアルミニウム板１７の各ユーザにおける印刷機別の二酸化炭素削減量等の印刷機別詳細画面をディスプレイ１５に表示する（データ出力手段、データ出力プロセス）。二酸化炭素削減量の印刷機別詳細画面には、図２３に示すように、ユーザ名表示エリア１１７にユーザ名、終了日時表示エリア１１８に終了日時、期間表示エリア１１９に期間、印刷記名表示エリア１２０に各印刷機名、アルミニウム板再使用枚数表示エリア１２１にその期間における印刷機のアルミニウム板１７の再使用枚数、二酸化炭素削減量の積算値表示エリア１２２にその期間における印刷機の二酸化炭素削減量の積算値、１日当たりの二酸化炭素削減量表示エリア１２３に１日当たりの二酸化炭素削減量、確認ボタン１２４が表示される。
【０１０８】
図２３の印刷機別詳細画面によって各印刷機の終了日時におけるアルミニウム板１７の再使用枚数や各印刷機における二酸化炭素削減量の詳細を知ることができる。図２３の印刷機別詳細画面において確認ボタン１２４を押すと、管理コンピュータ１１は、図２１の固有データ詳細画面をディスプレイ１５に表示する。なお、図２３の印刷機別データは、プリンタを介して出力することができる（データ出力手段、データ出力プロセス）。
【０１０９】
アルミニウム板管理システム１０および管理方法は、再使用済回数が再使用可能回数未満の場合にアルミニウム板１７の次回の再使用を可とするから、平版印刷機に装着されるアルミニウム板１７の再使用時において、そのアルミニウム板１７の再使用可能回数と実際の再使用済回数とを確認しつつ、適切にアルミニウム板１７を再使用することができる。管理システム１０および管理方法は、再使用可能回数の分だけアルミニウム板１７を再使用することができ、アルミニウム板１７をそれの使用限度まで繰り返して使用することができる。
【０１１０】
アルミニウム板管理システム１０および管理方法は、使用済回数が再使用可能回数に達している場合にそのアルミニウム板１７の次回の再使用を不可とするから、使用限界に達したアルミニウム板１７のそれ以上の再使用を事前に防ぐことができ、印刷時の各種トラブルを防ぐことができる。この管理システム１７および管理方法は、アルミニウム資源の無駄を省くことができ、二酸化炭素の排出量を大幅に削減することができる。
【符号の説明】
【０１１１】
１０    アルミニウム板管理システム
１１    管理コンピュータ
１２    ＹＡＧレーザー照射装置
１３    バーコードリーダー
１４    キーボード
１５    ディスプレイ
１６    版胴
１７    アルミニウム板
１８ａ，１８ｂ  両端部
【図１】
2010188622.tif 000003
【図２】
2010188622.tif 000004
【図３】
2010188622.tif 000005
【図４】
2010188622.tif 000006
【図５】
2010188622.tif 000007
【図６】
2010188622.tif 000008
【図７】
2010188622.tif 000009
【図８】
2010188622.tif 000010
【図９】
2010188622.tif 000011
【図１０】
2010188622.tif 000012
【図１１】
2010188622.tif 000013
【図１２】
2010188622.tif 000014
【図１３】
2010188622.tif 000015
【図１４】
2010188622.tif 000016
【図１５】
2010188622.tif 000017
【図１６】
2010188622.tif 000018
【図１７】
2010188622.tif 000019
【図１８】
2010188622.tif 000020
【図１９】
2010188622.tif 000021
【図２０】
2010188622.tif 000022
【図２１】
2010188622.tif 000023
【図２２】
2010188622.tif 000024
【図２３】
2010188622.tif 000025